(57)【要約】【課題】  多数の参加者がリアルタイムかつ快適に会議等を行うことができるように、会議等の参加者の音声を配信することが可能なプロジェクター等を提供すること。【解決手段】  プロジェクター１００が、第１の端末装置から画像情報と、音声情報を受信し、第２の端末装置から音声情報を受信する通信部１１０と、第１の端末装置として機能させる端末装置と、第２の端末装置として機能させる端末装置を決定する決定部１３０と、画像情報に基づき、全体画像を投写する投写部１９０と、音声情報に基づき、全体音声を出力する音声出力部１６０を含み、決定部１３０が、参加要求情報に基づき、参加要求を行った端末装置の台数が全体画像に割り当て可能な最大数を超えている場合、第１の端末装置として機能させる端末装置と、第２の端末装置として機能させる端末装置を決定する。【選択図】  図３
2011217227.tif 000002
【特許請求の範囲】
【請求項１】
複数の端末装置のうちの第１の端末装置から画像情報と、音声情報とを受信し、所定の場合に前記複数の端末装置のうちの第２の端末装置から音声情報を受信する通信部と、
前記複数の端末装置のうち、前記第１の端末装置として機能させる端末装置と、前記第２の端末装置として機能させる端末装置とを決定する決定部と、
前記画像情報に基づき、全体画像を投写する投写部と、
前記音声情報に基づき、全体音声を出力する音声出力部と、
を含み、
前記通信部は、前記複数の端末装置から参加要求を示す参加要求情報を受信し、
前記決定部は、
前記参加要求情報に基づき、前記参加要求を行った端末装置の台数が、前記全体画像に割り当て可能な最大数を超えているかどうかを判定し、
前記台数が前記最大数を超えている場合、前記第１の端末装置として機能させる端末装置と、前記第２の端末装置として機能させる端末装置とを決定する、
プロジェクター。
【請求項２】
請求項１に記載のプロジェクターにおいて、
所定の端末装置とは異なる端末装置から受信された前記音声情報を加算することにより、前記所定の端末装置用の前記配信用音声情報を生成する情報生成部を含み、
前記通信部は、前記所定の端末装置用の前記配信用音声情報を、前記所定の端末装置へ向け送信する、
プロジェクター。
【請求項３】
請求項２に記載のプロジェクターにおいて、
前記情報生成部は、各端末装置からの前記音声情報を加算することにより、全体音声情報を生成し、
前記音声出力部は、前記全体音声情報に基づく全体音声を出力する、
プロジェクター。
【請求項４】
請求項２、３のいずれかに記載のプロジェクターにおいて、
前記情報生成部は、前記全体画像を示す全体画像情報を生成し、
前記通信部は、前記全体画像情報を前記複数の端末装置または前記第１の端末装置へ向け送信する、
プロジェクター。
【請求項５】
請求項１〜４のいずれかに記載のプロジェクターにおいて、
前記決定部は、前記参加要求情報の受信順序に応じて、前記第１の端末装置として機能させる端末装置と、前記第２の端末装置として機能させる端末装置とを決定する、
プロジェクター。
【請求項６】
通信部を有するプロジェクターによる投写方法であって、
前記プロジェクターは、
複数の端末装置から参加要求を示す参加要求情報を受信し、
前記参加要求情報に基づき、前記参加要求を行った端末装置の台数が、全体画像に割り当て可能な最大数を超えているかどうかを判定し、
前記台数が前記最大数を超えている場合、第１の端末装置として機能させる端末装置と、第２の端末装置として機能させる端末装置とを決定し、
前記第１の端末装置から画像情報と、音声情報とを受信し、
前記第２の端末装置から音声情報を受信し、
前記音声情報に基づき、配信用音声情報を生成し、
前記配信用音声情報を、前記複数の端末装置へ向け送信し、
前記画像情報に基づき、全体画像を投写し、
前記音声情報に基づき、全体音声を出力する、
投写方法。
【発明の詳細な説明】
【技術分野】
【０００１】
本発明は、プロジェクターおよび投写方法に関する。
【背景技術】
【０００２】
例えば、特開２００４−７２７４１号公報に記載されているように、複数の参加者が参加可能なテレビ会議システムが提案されている。このようなテレビ会議システムの場合、参加者が増加するほど各参加者に割り当てられる画像の領域は小さくなってしまう。このため、１つの全体画像における各参加者に割り当てられる個別画像の数は最大４つ程度になっている。
【先行技術文献】
【特許文献】
【０００３】
【特許文献１】特開２００４−７２７４１号公報
【発明の概要】
【発明が解決しようとする課題】
【０００４】
例えば、最大４つの参加者ごとの個別画像を含む全体画像を表示する会議システムは、個別画像に割り当てられていない５人目の参加者を参加させるためには、既存の個別画像に代えて当該参加者用の個別画像を割り当てる必要があった。このため、多数の参加者が発言者として会議システムに参加することは困難であり、個別画像に割り当てられていない参加者は会議の様子を視聴するしかなかった。また、画像と音声をリアルタイムに送受信するためには多大な通信帯域が必要となるため、多数の参加者が遠隔地間でリアルタイムに会議を行うことは困難であった。
【０００５】
本発明にかかるいくつかの態様は、上記課題を解決することにより、多数の参加者がリアルタイムかつ快適に会議等を行うことができるように、会議等の参加者の音声を配信することが可能なプロジェクターおよび投写方法を提供するものである。
【課題を解決するための手段】
【０００６】
本発明の態様の１つであるプロジェクターは、複数の端末装置のうちの第１の端末装置から画像情報と、音声情報とを受信し、所定の場合に前記複数の端末装置のうちの第２の端末装置から音声情報を受信する通信部と、前記複数の端末装置のうち、前記第１の端末装置として機能させる端末装置と、前記第２の端末装置として機能させる端末装置とを決定する決定部と、前記画像情報に基づき、全体画像を投写する投写部と、前記音声情報に基づき、全体音声を出力する音声出力部と、を含み、前記通信部は、前記複数の端末装置から参加要求を示す参加要求情報を受信し、前記決定部は、前記参加要求情報に基づき、前記参加要求を行った端末装置の台数が、前記全体画像に割り当て可能な最大数を超えているかどうかを判定し、前記台数が前記最大数を超えている場合、前記第１の端末装置として機能させる端末装置と、前記第２の端末装置として機能させる端末装置とを決定することを特徴とする。
【０００７】
また、本発明の態様の１つである投写方法は、通信部を有するプロジェクターによる投写方法であって、前記プロジェクターは、複数の端末装置から参加要求を示す参加要求情報を受信し、前記参加要求情報に基づき、前記参加要求を行った端末装置の台数が、全体画像に割り当て可能な最大数を超えているかどうかを判定し、前記台数が前記最大数を超えている場合、第１の端末装置として機能させる端末装置と、第２の端末装置として機能させる端末装置とを決定し、前記第１の端末装置から画像情報と、音声情報とを受信し、前記第２の端末装置から音声情報を受信し、前記音声情報に基づき、配信用音声情報を生成し、前記配信用音声情報を、前記複数の端末装置へ向け送信し、前記画像情報に基づき、全体画像を投写し、前記音声情報に基づき、全体音声を出力することを特徴とする。
【０００８】
本発明によれば、プロジェクターは、参加要求を行った端末装置の台数が全体画像に割り当て可能な最大数を超えている場合であっても、各端末装置からの音声情報を反映した配信用音声情報を各端末装置に送信することにより、各端末装置における会議等の参加者の音声を配信することができるため、多数の参加者がリアルタイムかつ快適に会議等を行うことができる。
【０００９】
また、上記プロジェクターは、所定の端末装置とは異なる端末装置から受信された前記音声情報を加算することにより、前記所定の端末装置用の前記配信用音声情報を生成する情報生成部を含み、前記通信部は、前記所定の端末装置用の前記配信用音声情報を、前記所定の端末装置へ向け送信してもよい。これによれば、プロジェクターは、所定の端末装置とは異なる端末装置から受信した音声情報を加算した配信用音声情報を、当該所定の端末装置に送信することにより、音声のループバックを防止し、当該所定の端末装置におけるハウリングやエコー等の発生を抑制することができる。
【００１０】
また、前記情報生成部は、各端末装置からの前記音声情報を加算することにより、全体音声情報を生成し、前記音声出力部は、前記全体音声情報に基づく全体音声を出力してもよい。これによれば、プロジェクターは、プロジェクター自身が各参加者の音声を出力することができる。
【００１１】
また、前記情報生成部は、前記全体画像を示す全体画像情報を生成し、前記通信部は、前記全体画像情報を前記複数の端末装置または前記第１の端末装置へ向け送信してもよい。これによれば、プロジェクターは、画像情報に基づく全体画像を示す全体画像情報を端末装置に送信することにより、当該端末装置は、プロジェクターが投写している全体画像と同様の画像を表示することができる。
【００１２】
また、前記決定部は、前記参加要求情報の受信順序に応じて、前記第１の端末装置として機能させる端末装置と、前記第２の端末装置として機能させる端末装置とを決定してもよい。これによれば、プロジェクターは、参加要求情報の受信順序に応じて各端末装置の機能を決定することにより、端末装置同士で交渉することなく、各端末装置の機能を迅速に決定することができる。
【図面の簡単な説明】
【００１３】
【図１】第１の実施例における投写状況を示す図である。
【図２】第１の実施例における全体画像の一例を示す図である。
【図３】第１の実施例におけるプロジェクターの機能ブロック図である。
【図４】第１の実施例における投写手順を示すフローチャートである。
【発明を実施するための形態】
【００１４】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１５】
（第１の実施例）
図１は、第１の実施例における投写状況を示す図である。また、図２は、第１の実施例における全体画像４００の一例を示す図である。例えば、プロジェクター１００が、４台のＰＣ（端末装置）２００からの画像情報に基づく画像をそれぞれ個別画像４１１〜４１４として割り当てた全体画像４００を投写するものとする。また、プロジェクター１００は、ネットワーク（例えば、ＬＡＮ、インターネット等）３００を介して６台のＰＣ２００−１〜２００−６と接続されているものとする。このような場合、各ＰＣ２００のユーザーが会議等に参加しようとしても、２台のＰＣ２００のユーザーが会議等に参加できない状態になってしまう。本実施例では、全体画像４００に割り当て可能な最大数を超えて参加要求があった場合、プロジェクター１００は、ＰＣ２００から音声情報のみを受信し、配信用音声情報を生成し、各ＰＣ２００に送信する機能を有する。
【００１６】
次に、このような機能を有するプロジェクター１００の機能ブロックについて説明する。図３は、第１の実施例におけるプロジェクター１００の機能ブロック図である。プロジェクター１００は、ＰＣ２００と情報を送受信する通信部１１０と、情報を記憶する記憶部１５０と、記憶部１５０内の情報を更新する更新部１２０と、情報に基づく決定を行う決定部１３０と、情報を生成する情報生成部１４０と、音声を出力する音声出力部１６０と、全体画像４００等を投写する投写部１９０を含んで構成されている。また、記憶部１５０は、画像情報１５１、音声情報１５２、全体画像情報１５３、全体音声情報１５４、配信用音声情報１５５等を記憶している。
【００１７】
なお、プロジェクター１００は、以下のハードウェアを用いてこれらの各部として機能してもよい。例えば、プロジェクター１００は、通信部１１０は有線ＬＡＮユニット、無線ＬＡＮユニット等、更新部１２０、決定部１３０、情報生成部１４０はＣＰＵ等、記憶部１５０はＲＡＭ等、音声出力部１６０は音声処理回路、コンバーター、アンプ、スピーカー等、投写部１９０はランプ、液晶パネル、画像処理回路、液晶駆動回路、レンズ等を用いてもよい。
【００１８】
次に、本実施例における全体画像４００の投写手順について説明する。図４は、第１の実施例における投写手順を示すフローチャートである。決定部１３０は、通信部１１０によって会議等への参加要求を示す参加要求情報が受信されたかどうかを判定する（ステップＳ１）。
【００１９】
参加要求情報が受信された場合、決定部１３０は、参加要求を行ったＰＣ２００の台数が全体画像４００に割り当て可能な最大数（ここでは４）を超えるかどうかを判定する（ステップＳ２）。
【００２０】
参加要求があったＰＣ２００を追加すると最大数を超えてしまう場合、決定部１３０は、参加要求を行ったＰＣ２００を音声参加ＰＣ（第２の端末装置）に決定する（ステップＳ３）。また、この場合、通信部１１０は、当該ＰＣ２００が音声参加ＰＣに決定されたことを示す決定情報を当該ＰＣ２００へ向け送信してもよい。なお、音声参加ＰＣは、画像情報を送信せず、音声情報をプロジェクター１００に送信するＰＣ２００である。
【００２１】
一方、参加要求があったＰＣ２００を追加しても最大数以内である場合、決定部１３０は、参加要求を行ったＰＣ２００を画像参加ＰＣ（第１の端末装置）に決定する（ステップＳ４）。また、この場合、通信部１１０は、当該ＰＣ２００が画像参加ＰＣに決定されたことを示す決定情報を当該ＰＣ２００へ向け送信してもよい。なお、画像参加ＰＣは、画像情報と音声情報をプロジェクター１００に送信するＰＣ２００である。図１の例では、ＰＣ２００−１からＰＣ２００−４までが画像参加ＰＣであり、ＰＣ２００−５およびＰＣ２００−６が音声参加ＰＣである。
【００２２】
通信部１１０は、画像参加ＰＣから画像情報と音声情報を受信し、音声参加ＰＣから音声情報を受信し、更新部１２０は、通信部１１０によって受信された画像情報を画像情報１５１として記憶部１５０に記憶し、通信部１１０によって受信された音声情報を音声情報１５２として記憶部１５０に記憶する（ステップＳ５）。なお、画像情報は、例えば、ＰＣ２００でキャプチャーされた表示中の画像を示す情報、ＰＣ２００に記憶された動画像や静止画像を示す画像データ等であってもよい。また、音声情報は、ＰＣ２００に接続されたマイク等によって入力された音声を示す情報、ＰＣ２００に記憶された音声データ等であってもよい。
【００２３】
情報生成部１４０は、一定時間（例えば、１秒等）ごとに、画像情報１５１に基づき、全体画像４００を示す全体画像情報１５３を生成し、記憶部１５０に記憶する。また、投写部１９０は、全体画像情報１５３に基づき、全体画像４００を生成し、スクリーン等に投写する（ステップＳ６）。
【００２４】
また、情報生成部１４０は、上記一定時間ごとのすべての音声情報１５２を加算することにより、全参加者の音声を示す全体音声情報１５４を生成し、記憶部１５０に記憶し、音声出力部１６０は、全体音声情報１５４に基づき、全体音声を出力する（ステップＳ７）。例えば、全体音声情報１５４は、ＰＣ２００−１〜２００−６の音声情報１５２が加算されたものである。
【００２５】
また、情報生成部１４０は、上記一定時間ごとに、音声情報１５２に基づき、配信用音声を示す配信用音声情報１５５を生成し、記憶部１５０に記憶する（ステップＳ８）。なお、配信用音声情報１５５は、所定のＰＣ２００とは異なるＰＣ２００からの音声情報１５２を加算することによって生成される情報である。例えば、ＰＣ２００−１用の配信用音声情報１５５は、ＰＣ２００−２〜２００−６の音声情報１５２が加算されたものである。また、例えば、ＰＣ２００−２用の配信用音声情報１５５は、ＰＣ２００−１、２００−３〜２００−６の音声情報１５２が加算されたものである。ここでは、ＰＣ２００が６台であるため、最大６種類の配信用音声情報１５５が生成される。各ＰＣ２００は、配信用音声情報１５５を受信し、再生中の音声と合成してＰＣ２００のスピーカーに直接出力する。これにより、ＰＣ２００は、音声のループバックを防止することができる。
【００２６】
通信部１１０は、情報生成部１４０の制御に応じて、全体画像情報１５３を画像参加ＰＣとして機能するＰＣ２００へ向け送信する（ステップＳ９）。また、通信部１１０は、情報生成部１４０の制御に応じて、配信用音声情報１５５を各ＰＣ２００へ向け送信する（ステップＳ１０）。例えば、ＰＣ２００−１用の配信用音声情報１５５は、ＰＣ２００−１に配信される。
【００２７】
プロジェクター１００は、終了指示があるかどうかを判定し（ステップＳ１１）、終了指示があるまで上述した一連の処理（ステップＳ１〜Ｓ１１）を繰り返し実行する。
【００２８】
以上のように、本実施例によれば、プロジェクター１００は、参加要求を行ったＰＣ２００の台数が全体画像４００に割り当て可能な最大数を超えている場合であっても、各ＰＣ２００からの音声情報１５２を反映した配信用音声情報１５５を各ＰＣ２００に送信することにより、各ＰＣ２００における会議や授業等の参加者の音声を配信することができるため、多数の参加者がリアルタイムかつ快適に会議等を行うことができる。
【００２９】
また、本実施例によれば、プロジェクター１００は、所定のＰＣ２００とは異なるＰＣ２００からの音声情報１５２を加算した配信用音声情報１５５を当該所定のＰＣ２００に送信することにより、音声のループバックを防止し、当該所定のＰＣ２００におけるハウリングやエコー等の発生を抑制することができる。
【００３０】
また、本実施例によれば、プロジェクター１００は、全体画像４００を投写するだけでなく、全体音声情報１５４に基づく音声を出力することにより、各ＰＣ２００の参加者による音声を会議等に反映させることができる。
【００３１】
また、本実施例によれば、プロジェクター１００は、全体画像４００を示す全体画像情報１５４を画像参加ＰＣとして機能するＰＣ２００に送信することにより、当該ＰＣ２００は、プロジェクター１００が投写している全体画像４００と同様の画像を表示することができ、当該ＰＣ２００がプロジェクター１００に対して遠隔地に配置されている場合であっても、ユーザーは快適に会議等を行うことができる。
【００３２】
また、本実施例によれば、プロジェクター１００は、参加要求情報の受信順序に応じて各ＰＣ２００の機能を決定することにより、ＰＣ２００同士で交渉することなく、各ＰＣ２００の機能、すなわち、画像参加ＰＣとして機能するか、音声参加ＰＣとして機能するかを迅速に決定することができる。
【００３３】
（その他の実施例）
なお、本発明の適用は上述した実施例に限定されず、種々の変形が可能である。例えば、通信部１１０は、全体画像情報１５４をすべてのＰＣ２００へ向け送信してもよい。また、通信部１１０は、全体画像情報１５４をＰＣ２００に送信せず、配信用音声情報１５５のみを各ＰＣ２００へ向け送信してもよい。これによれば、プロジェクター１００における処理負荷とネットワーク３００における負荷を軽減することができる。
【００３４】
また、画像参加ＰＣと音声参加ＰＣの決定手法は、上述した手法に限定されず、例えば、参加要求情報の受信が新しい順に画像参加ＰＣとして決定する手法、各ＰＣ２００での交渉結果による各ＰＣ２００からの役割を示す応答情報に応じて決定する手法等であってもよい。また、参加要求情報は、ユーザーの選択に応じて生成される情報であって、かつ、画像参加ＰＣとして参加するか、音声参加ＰＣとして参加するかを示す情報を含んでもよい。この場合、記憶部１３０は、選択内容に応じて上述したステップＳ３、Ｓ４の処理を実行してもよい。
【００３５】
また、端末装置としては、ＰＣ２００だけでなく、例えば、携帯電話、携帯情報端末、ゲーム装置等の画像情報と音声情報を送信可能な種々の装置が該当する。また、端末装置の台数は６台に限定されず、５台以下であってもよいし、７台以上であってもよい。
【００３６】
また、プロジェクター１００の有するコンピューターは、情報記憶媒体に記憶されたプログラムを読み取って決定部１３０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００３７】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９８は、ランプの代わりにＬＥＤ等の固体光源を含んでもよい。また、プロジェクター１００の機能を複数の装置（例えば、ＰＣとプロジェクター等）に分散してもよい。
【符号の説明】
【００３８】
１００  プロジェクター、１１０  通信部、１２０  更新部、１３０  決定部、１４０  情報生成部、１５０  記憶部、１５１  画像情報、１５２  音声情報、１５３  全体画像情報、１５４  全体音声情報、１５５  配信用音声情報、１６０  音声出力部、１９０  投写部、２００  ＰＣ（端末装置）、３００  ネットワーク、４００  全体画像、４１１〜４１４  個別画像
【図１】
2011217227.tif 000003
【図２】
2011217227.tif 000004
【図３】
2011217227.tif 000005
【図４】
2011217227.tif 000006